(57)【要約】【課題】  情報装置に設けられた平面ディスプレイに使用者が直接触れることなく、且つ簡易な操作で平面ディスプレイの角度調節を行う事ができる平面ディスプレイの角度調節機能を提供する。【解決手段】  平面ディスプレイを含むユニットは、前記平面ディスプレイ保持構造における回転軸と垂直な面を為す円弧状の駆動歯車を有し、情報装置は、自情報装置の接地面に対して平行方向にスライド可動する本体ユニットと、前記本体ユニットと係合する第一の梁と、前記第一の梁の端部と回動自在に係合する第二の梁と、前記第二の梁の端部と回動自在に係合して前記駆動歯車と嵌合する形状を有する第三の梁と、を有し、前記本体ユニットを自情報装置の接地面に対して平行方向にスライド可動して前記第三の梁と嵌合する前記駆動歯車を連動し、前記平面ディスプレイと情報装置本体のなす角を調整する。【選択図】    図２
2015179129.tif 000002
【特許請求の範囲】
【請求項１】
平面ディスプレイを備え、前記平面ディスプレイと情報装置本体とのなす角を調整する構造であって、
前記平面ディスプレイを含むユニットは、前記平面ディスプレイ保持構造における回転軸と垂直な面を為す円弧状の駆動歯車を有し、
前記情報装置は、自情報装置の接地面に対して平行方向にスライド可動する本体ユニットと、前記本体ユニットと係合する第一の梁と、前記第一の梁の端部と回動自在に係合する第二の梁と、前記第二の梁の端部と回動自在に係合して前記駆動歯車と嵌合する形状を有する第三の梁と、を有し、
前記本体ユニットを自情報装置の接地面に対して平行方向にスライド可動して前記第三の梁と嵌合する前記駆動歯車を連動し、前記平面ディスプレイと情報装置本体のなす角を調整することを特徴とするギアによる角度調整構造。
【発明の詳細な説明】
【技術分野】
【０００１】
本発明は、平面ディスプレイを有する情報装置における、平面ディスプレイの起立角度を調整するための構造に関する。
【背景技術】
【０００２】
従来、卓上で使用する情報装置は、平面ディスプレイを使用者が所望する角度へ任意に調整するチルト構造を有するものが一般的である。（例えば、特許文献１）
【０００３】
しかしながら、特許文献１に記載の平面ディスプレイの角度調整機能では、情報装置の使用者が直接平面ディスプレイに触れて角度調整を行う必要があり、平面ディスプレイの表示部を指紋や手脂等で汚してしまう問題があった。
【先行技術文献】
【特許文献】
【０００４】
【特許文献１】特開２００１−３３９４９８号公報
【発明の概要】
【発明が解決しようとする課題】
【０００５】
上記の問題点を解決するために、本発明の課題は、情報装置に設けられた平面ディスプレイに使用者が直接触れることなく、且つ簡易な操作で平面ディスプレイの角度調節を行う事ができる平面ディスプレイの角度調節機能を提供することにある。
【課題を解決するための手段】
【０００６】
本発明は、平面ディスプレイを備え、前記平面ディスプレイと情報装置本体とのなす角を調整する構造であって、前記平面ディスプレイを含むユニットは、前記平面ディスプレイ保持構造における回転軸と垂直な面を為す円弧状の駆動歯車を有し、前記情報装置は、自情報装置の接地面に対して平行方向にスライド可動する本体ユニットと、前記本体ユニットと係合する第一の梁と、前記第一の梁の端部と回動自在に係合する第二の梁と、前記第二の梁の端部と回動自在に係合して前記駆動歯車と嵌合する形状を有する第三の梁と、を有し、前記本体ユニットを自情報装置の接地面に対して平行方向にスライド可動して前記第三の梁と嵌合する前記駆動歯車を連動し、前記平面ディスプレイと情報装置本体のなす角を調整することを特徴とする。
【発明の効果】
【０００７】
本発明によれば、情報装置に設けられた平面ディスプレイに使用者が直接触れることなく、且つ簡易な操作で平面ディスプレイの角度調節を行う事ができる平面ディスプレイの角度調節機能を提供できる。
【図面の簡単な説明】
【０００８】
【図１】本発明による構造を採用した一実施例を示す斜視図
【図２】本発明によるディスプレイ部１と本体部の構造の一実施例を示す断面図
【図３】ディスプレイ部１を起立させた状態の一例を示す断面図
【図４】ディスプレイ部１を起立させた状態の一例を示す斜視図
【図５】本発明によるディスプレイ部１の回転軸１１及びギア部１２の詳細を示す図
【図６】本体ユニット２の構成の一実施例を示す斜視図
【発明を実施するための形態】
【０００９】
図１は、本発明の情報装置の構成を示す斜視図である。
【００１０】
本実施例における情報装置の筐体は、ディスプレイ部１と、本体ユニット２と、本体ユニット２とは別の部品として筐体の底面側を構成するベース部３と、本体ユニット２とは別部品からなる筐体の天面側を構成する受話器クレードル部４と、から構成される。ここで、本実施例における情報装置を電話機として説明するが、本装置はこれに限定されないものとする。
【００１１】
図２は本発明によるディスプレイ部１と本体ユニット２の構造の一実施例を示す断面図である。筐体の構造は、ディスプレイ部１とギア状の形状によって噛みあい係合するギア付き梁５と、ギア付き梁５と回動自由に係合するジョイント梁６と、ジョイント梁６と回動自由に係合し本体ユニット２と係合する可動梁７と、ディスプレイ部１に形成された回転軸１１と、ギア１２と、ベース部品３に形成されたストッパー５５と、から構成される。
【００１２】
ディスプレイ部１は、ギア付き梁５及びジョイント梁６、可動梁７を介して本体ユニット２に接続されている。ギア付き梁５は、ディスプレイ部１に形成されたギア１２に噛みあっており、ジョイント梁６は、ギア付き梁５及び可動梁７の端と回動自在に接続されている。
【００１３】
図３は、本発明によるディスプレイ部１が起立した状態を示す断面図である。本体ユニット２をディスプレイ部１から離れる方向に向かって、ベース部３と平行にスライドさせることにより、ディスプレイ部１の回転軸１１を中心にしてディスプレイ部１を起立させる。
【００１４】
図４は、ディスプレイ部１を起立させた状態の一例を示す斜視図である。ディスプレイ部１を起立させていない図１の斜視図と比較し、本体ユニット２をディスプレイ部１から離れる方向に向かってベース部３の端からはみ出るように移動させることで、ディスプレイ部１が起立している。この際、本体ユニット２とは独立している受話器クレードル部４は本体ユニット２をスライドさせる前と同じ位置にあり、本体ユニット２の動きとは連動しない。
【００１５】
図５は、本発明によるディスプレイ部１の回転軸１１及びギア部１２の詳細を示す図である。ディスプレイ部１が起立する際は回転軸１１を軸にして起き上がる。回転軸１１はディスプレイ部１に対して任意の位置に設定できるものとする。
【００１６】
尚、ギア部１２の動きを利用するため、ギア部１２と直行する向きに回転軸１１を設ける。この際、前記回転軸１１をギア部１２の中心にする必要はなく、ギア部１２に対して直行する向きであれば、任意の位置に配置することが可能である。
【００１７】
図６は、本発明における本体ユニット２のユニット構成内容の一例を示すものである。本体ユニット２は、製品意匠面に見える本体部上カバー２１と、複数のボタン類２２と、制御基板２３、意匠的には見えなくても構わない本体部下カバー２４にて構成される。
【００１８】
本体部下カバー２４は、上記の可動梁７と係合することで、ギア付き梁５、ジョイント梁６を介してディスプレイ部１の起立運動の動きを連動させる。
【００１９】
ここで、図２および３を用いて本発明の角度調整方法について説明する。本体ユニット２を、ディスプレイ部１から離れる方向に向かって、ベース部３と平行にスライドさせることで、本体ユニット２に係合されている可動梁７も本体ユニット２と連動して移動する。可動梁７が移動することで、可動梁７に接続されるジョイント梁６も同方向に移動しようとするが、ジョイント梁６はストッパー５５に当たり移動できなくなる。すると、ジョイント梁６はストッパー５５を支点として、スライド方向と逆向きの力に変化させて、ギア付き梁５に伝える。ギア付き梁５は、スライド方向と逆向きに移動する。ギア付き梁５の力は、噛みあうギア１２に伝わり、回転軸１１を中心とした回転運動に変換されて、ディスプレイ部１の起立運動となり、角度調整を可能とする。
【００２０】
以上で説明したとおり、本発明によれば本体ユニット２をスライドさせることでディスプレイ部１の起立角度を調整できるため、ディスプレイ部１に手を触れずに済み、それにより一般的な電話機に比べて、ディスプレイ部１への汚れ付着を防げる構造を提供することができる。
【００２１】
本発明においては、一例として本体ユニット２とディスプレイ部１を３つの梁を介して接続しているが、接続するための梁の本数について決まりはなく、３本以上の梁を介して接続することも可能である。
【符号の説明】
【００２２】
１・・・ディスプレイ部
２・・・本体ユニット
３・・・ベース部
４・・・受話器クレードル部
５・・・ギア付き梁
６・・・ジョイント梁
７・・・可動梁
１１・・・ディスプレイ部１の回転軸
１２・・・ディスプレイ部１のギア
２１・・・本体部上カバー
２２・・・操作ボタン類
２３・・・制御基板
２４・・・本体部下カバー
５５・・・梁のストッパー
【図１】
2015179129.tif 000003
【図２】
2015179129.tif 000004
【図３】
2015179129.tif 000005
【図４】
2015179129.tif 000006
【図５】
2015179129.tif 000007
【図６】
2015179129.tif 000008